(57)【要約】【課題】携帯電話の複数のキャリアのうちの任意のキャリアに対応した二次元コード、あるいは複数のキャリアに共通した二次元コードを印刷することを課題とする。【解決手段】携帯電話に登録する登録用データをコード化した二次元コードを、印刷テープに印刷するテープ印刷装置であって、登録用データを入力する入力手段と、携帯電話の複数のキャリアにそれぞれ対応する複数のフォーマット形式を記憶する記憶手段と、複数のキャリアから１のキャリアを指定するためのキャリア指定手段と、指定されたキャリアのフォーマット形式に従って、入力された登録用データをフォーマットデータに変換するフォーマット化手段と、フォーマットデータを、二次元コードデータにコード化するコード化手段と、二次元コードデータに基づいて、印刷画像データを作成する画像作成手段と、印刷画像データに基づいて、印刷テープに印刷を行う印刷手段と、を備えた。【選択図】図４
2007118506.tif 000002
【特許請求の範囲】
【請求項１】
携帯電話に登録する登録用データをコード化した二次元コードを、印刷テープに印刷するテープ印刷装置であって、
前記登録用データを入力する入力手段と、
携帯電話の複数のキャリアにそれぞれ対応する複数のフォーマット形式を記憶する記憶手段と、
前記複数のキャリアから１のキャリアを指定するためのキャリア指定手段と、
指定された前記キャリアのフォーマット形式に従って、入力された前記登録用データをフォーマットデータに変換するフォーマット化手段と、
前記フォーマットデータを、二次元コードデータにコード化するコード化手段と、
前記二次元コードデータに基づいて、印刷画像データを作成する画像作成手段と、
前記印刷画像データに基づいて、前記印刷テープに印刷を行う印刷手段と、
を備えたことを特徴とするテープ印刷装置。
【請求項２】
携帯電話に登録する登録用データをコード化した二次元コードを、印刷テープに印刷するテープ印刷装置であって、
前記登録用データを入力する入力手段と、
携帯電話の３以上のキャリアにそれぞれ対応する３以上のフォーマット形式を記憶する記憶手段と、
前記３以上のキャリアから２以上のキャリアを指定するためのキャリア指定手段と、
前記２以上のキャリアのフォーマット形式に従って、入力された前記登録用データを２以上のフォーマットデータにそれぞれ変換するフォーマット化手段と、
前記２以上のフォーマットデータを、単一の二次元コードデータにコード化する単一コード化処理と、２以上の二次元コードデータにそれぞれコード化する複数コード化処理と、を選択的に実行するためのコード化手段と、
前記単一コード化処理が実行された場合に、前記単一の二次元コードデータに基づいて、印刷画像データを作成し、前記複数コード化処理が実行された場合に、前記２以上の二次元コードデータに基づいて、２以上の二次元コードを併記して印刷するように印刷画像データを作成する画像作成手段と、
前記印刷画像データに基づいて、前記印刷テープに印刷を行う印刷手段と、
を備えたことを特徴とするテープ印刷装置。
【請求項３】
携帯電話に登録する登録用データをコード化した二次元コードを、印刷テープに印刷するテープ印刷装置であって、
前記登録用データを入力する入力手段と、
携帯電話の複数のキャリアにそれぞれ対応する複数のフォーマット形式を記憶する記憶手段と、
前記複数のフォーマット形式に従って、入力された前記登録用データを複数のフォーマットデータにそれぞれ変換するフォーマット化手段と、
前記複数のフォーマットデータを、単一の二次元コードデータにコード化するコード化手段と、
前記単一の二次元コードデータに基づいて、印刷画像データを作成する画像作成手段と、
前記印刷画像データに基づいて、前記印刷テープに印刷を行う印刷手段と、
を備えたことを特徴とするテープ印刷装置。
【請求項４】
携帯電話に登録する登録用データをコード化した二次元コードを、印刷テープに印刷するテープ印刷装置であって、
前記登録用データを入力する入力手段と、
携帯電話の複数のキャリアにそれぞれ対応する複数のフォーマット形式を記憶する記憶手段と、
前記複数のフォーマット形式に従って、入力された前記登録用データを複数のフォーマットデータにそれぞれ変換するフォーマット化手段と、
前記複数のフォーマットデータを、複数の二次元コードデータにそれぞれコード化するコード化手段と、
前記複数の二次元コードデータに基づいて、複数の二次元コードを併記して印刷するように印刷画像データを作成する画像作成手段と、
前記印刷画像データに基づいて、前記印刷テープに印刷を行う印刷手段と、
を備えたことを特徴とするテープ印刷装置。
【請求項５】
前記画像作成手段は、前記二次元コードに関連する関連情報を指標する指標キャラクタが、当該二次元コードに併記されるように、前記印刷画像データを作成し、
前記関連情報には、前記登録用データを変換する前記フォーマット形式に対応した前記キャリアの名称が含まれることを特徴とする請求項１ないし４のいずれかに記載のテープ印刷装置。
【請求項６】
複数種の前記登録用データから、入力するデータ種類を選択するための選択手段を、さらに備え、
前記関連情報には、選択された前記データ種類が含まれることを特徴とする請求項５に記載のテープ印刷装置。
【請求項７】
前記印刷テープは、表面に印刷が行われる記録テープと、前記記録テープの裏面に貼着された剥離テープと、から構成されており、
前記印刷テープのうち前記記録テープのみをテープ幅方向に切断するハーフカット手段を、さらに備え、
前記印刷手段は、前記二次元コードに対してテープ長さ方向における前端部側および後端部側の少なくとも一方の領域に、前記指標キャラクタを印刷し、
前記ハーフカット手段は、前記指標キャラクタが印刷された領域と前記二次元コードが印刷された領域との境界近傍をハーフカットして、当該指標キャラクタが印刷された領域を捨て代部として形成することを特徴とする請求項５または６に記載のテープ印刷装置。
【請求項８】
携帯電話に登録する登録用データをコード化した二次元コードを、印刷テープに印刷するテープ印刷装置のテープ印刷方法であって、
前記登録用データを入力する入力工程と、
携帯電話の複数のキャリアから１のキャリアを指定するキャリア指定工程と、
指定された前記キャリアのフォーマット形式に従って、入力された前記登録用データをフォーマットデータに変換するフォーマット化工程と、
前記フォーマットデータを、二次元コードデータにコード化するコード化工程と、
前記二次元コードデータに基づいて、印刷画像データを作成する画像作成工程と、
前記印刷画像データに基づいて、前記印刷テープに印刷を行う印刷工程と、
を備えたことを特徴とするテープ印刷装置のテープ印刷方法。
【請求項９】
携帯電話に登録する登録用データをコード化した二次元コードを、印刷テープに印刷するテープ印刷装置のテープ印刷方法であって、
前記登録用データを入力する入力工程と、
携帯電話の３以上のキャリアから２以上のキャリアを指定するためのキャリア指定工程と、
前記２以上のキャリアのフォーマット形式に従って、入力された前記登録用データを２以上のフォーマットデータにそれぞれ変換するフォーマット化工程と、
前記２以上のフォーマットデータを、単一の二次元コードデータにコード化する単一コード化処理と、２以上の二次元コードデータにそれぞれコード化する複数コード化処理と、を選択的に実行するためのコード化工程と、
前記単一コード化処理が実行された場合に、前記単一の二次元コードデータに基づいて、印刷画像データを作成し、前記複数コード化処理が実行された場合に、前記２以上の二次元コードデータに基づいて、２以上の二次元コードを併記して印刷するように印刷画像データを作成する画像作成工程と、
前記印刷画像データに基づいて、前記印刷テープに印刷を行う印刷工程と、
を備えたことを特徴とするテープ印刷装置のテープ印刷方法。
【請求項１０】
携帯電話に登録する登録用データをコード化した二次元コードを、印刷テープに印刷するテープ印刷装置のテープ印刷方法であって、
前記登録用データを入力する入力工程と、
携帯電話の複数のキャリアにそれぞれ対応する複数のフォーマット形式に従って、入力された前記登録用データを複数のフォーマットデータにそれぞれ変換するフォーマット化工程と、
前記複数のフォーマットデータを、単一の二次元コードデータにコード化するコード化工程と、
前記単一の二次元コードデータに基づいて、印刷画像データを作成する画像作成工程と、
前記印刷画像データに基づいて、前記印刷テープに印刷を行う印刷工程と、
を備えたことを特徴とするテープ印刷装置のテープ印刷方法。
【請求項１１】
携帯電話に登録する登録用データをコード化した二次元コードを、印刷テープに印刷するテープ印刷装置のテープ印刷方法であって、
前記登録用データを入力する入力工程と、
携帯電話の複数のキャリアにそれぞれ対応する複数のフォーマット形式に従って、入力された前記登録用データを複数のフォーマットデータにそれぞれ変換するフォーマット化工程と、
前記複数のフォーマットデータを、複数の二次元コードデータにそれぞれコード化するコード化工程と、
前記複数の二次元コードデータに基づいて、複数の二次元コードを併記して印刷するように印刷画像データを作成する画像作成工程と、
前記印刷画像データに基づいて、前記印刷テープに印刷を行う印刷工程と、
を備えたことを特徴とするテープ印刷装置のテープ印刷方法。
【発明の詳細な説明】
【技術分野】
【０００１】
本発明は、携帯電話に登録する登録用データをコード化した二次元コードを、印刷テープに印刷するテープ印刷装置およびそのテープ印刷方法に関するものである。
【背景技術】
【０００２】
従来、所望の情報をコード化したＱＲコード等の二次元コードを、用紙に印刷するプリンタが知られている。（例えば、特許文献１参照。）。一方、近年、二次元コードを認識可能なカメラ付き携帯電話（以下、単に「携帯電話」という。）が普及している。
【特許文献１】特開２００１−２９３９０９号公報
【発明の開示】
【発明が解決しようとする課題】
【０００３】
そのため、携帯電話に登録する登録用データ（氏名、電話番号等から成る電話帳データや、特定のＵＲＬを表すＵＲＬデータ等）をコード化した二次元コードを印刷テープに印刷可能なテープ印刷装置があれば便利である。例えば、そのようなテープ印刷装置により、二次元コードの印刷された印刷テープを作成し、それを既存の名刺等の被貼着物に貼って知人に渡せば、二次元コード付き名刺を新たに作成することなく、知人は、自身の携帯電話を使って二次元コードを認識することで、登録用データを携帯電話に登録することができる。
【０００４】
ところで、登録用データを表すフォーマット形式は、携帯電話のキャリア（通信会社）間で異なっているため、印刷された二次元コードを認識できる携帯電話と認識できない携帯電話とがあり、問題であった。すなわち、テープ印刷装置が、キャリア「Ａ社」のフォーマット形式に従って登録用データを変換し、その二次元コードを印刷するものである場合に、印刷テープを受け取った知人の携帯電話が、キャリア「Ａ社」のものであるときには、印刷された二次元コードを認識できるが、キャリア「Ｂ社」のものであるときには、印刷された二次元コードを認識できなかった
【０００５】
本発明は、携帯電話の複数のキャリアのうちの任意のキャリアに対応した二次元コード、あるいは複数のキャリアに共通した二次元コードを印刷することができるテープ印刷装置およびそのテープ印刷方法を提供することを目的とする。
【課題を解決するための手段】
【０００６】
本発明のテープ印刷装置は、携帯電話に登録する登録用データをコード化した二次元コードを、印刷テープに印刷するテープ印刷装置であって、登録用データを入力する入力手段と、携帯電話の複数のキャリアにそれぞれ対応する複数のフォーマット形式を記憶する記憶手段と、複数のキャリアから１のキャリアを指定するためのキャリア指定手段と、指定されたキャリアのフォーマット形式に従って、入力された登録用データをフォーマットデータに変換するフォーマット化手段と、フォーマットデータを、二次元コードデータにコード化するコード化手段と、二次元コードデータに基づいて、印刷画像データを作成する画像作成手段と、印刷画像データに基づいて、印刷テープに印刷を行う印刷手段と、を備えたことを特徴とする。
【０００７】
本発明のテープ印刷装置のテープ印刷方法は、携帯電話に登録する登録用データをコード化した二次元コードを、印刷テープに印刷するテープ印刷装置のテープ印刷方法であって、登録用データを入力する入力工程と、携帯電話の複数のキャリアから１のキャリアを指定するキャリア指定工程と、指定されたキャリアのフォーマット形式に従って、入力された登録用データをフォーマットデータに変換するフォーマット化工程と、フォーマットデータを、二次元コードデータにコード化するコード化工程と、二次元コードデータに基づいて、印刷画像データを作成する画像作成工程と、印刷画像データに基づいて、印刷テープに印刷を行う印刷工程と、を備えたことを特徴とする。
【０００８】
この構成によれば、複数のキャリアから指定された１のキャリアのフォーマット形式に従って、入力された登録用データがフォーマット化され、そのフォーマットデータに基づいて、二次元コードが印刷される。このため、印刷された二次元コードは、指定されたキャリアの携帯電話で認識可能である。すなわち、キャリア「Ａ社」およびキャリア「Ｂ社」のいずれかのキャリアを指定可能な場合に、ユーザは、印刷される二次元コードを「Ａ社」の携帯電話に認識させたいときは、２社のキャリアから「Ａ社」を指定すればよく、「Ｂ社」の携帯電話に認識させたいときは、「Ｂ社」を指定すればよい。
【０００９】
本発明の他のテープ印刷装置は、携帯電話に登録する登録用データをコード化した二次元コードを、印刷テープに印刷するテープ印刷装置であって、登録用データを入力する入力手段と、携帯電話の３以上のキャリアにそれぞれ対応する３以上のフォーマット形式を記憶する記憶手段と、３以上のキャリアから２以上のキャリアを指定するためのキャリア指定手段と、２以上のキャリアのフォーマット形式に従って、入力された登録用データを２以上のフォーマットデータにそれぞれ変換するフォーマット化手段と、２以上のフォーマットデータを、単一の二次元コードデータにコード化する単一コード化処理と、２以上の二次元コードデータにそれぞれコード化する複数コード化処理と、を選択的に実行するためのコード化手段と、単一コード化処理が実行された場合に、単一の二次元コードデータに基づいて、印刷画像データを作成し、複数コード化処理が実行された場合に、２以上の二次元コードデータに基づいて、２以上の二次元コードを併記して印刷するように印刷画像データを作成する画像作成手段と、印刷画像データに基づいて、印刷テープに印刷を行う印刷手段と、を備えたことを特徴とする。
【００１０】
本発明の他のテープ印刷装置のテープ印刷方法は、携帯電話に登録する登録用データをコード化した二次元コードを、印刷テープに印刷するテープ印刷装置のテープ印刷方法であって、登録用データを入力する入力工程と、携帯電話の３以上のキャリアから２以上のキャリアを指定するためのキャリア指定工程と、２以上のキャリアのフォーマット形式に従って、入力された登録用データを２以上のフォーマットデータにそれぞれ変換するフォーマット化工程と、２以上のフォーマットデータを、単一の二次元コードデータにコード化する単一コード化処理と、２以上の二次元コードデータにそれぞれコード化する複数コード化処理と、を選択的に実行するためのコード化工程と、単一コード化処理が実行された場合に、単一の二次元コードデータに基づいて、印刷画像データを作成し、複数コード化処理が実行された場合に、２以上の二次元コードデータに基づいて、２以上の二次元コードを併記して印刷するように印刷画像データを作成する画像作成工程と、印刷画像データに基づいて、印刷テープに印刷を行う印刷工程と、を備えたことを特徴とする。
【００１１】
この構成によれば、単一コード化処理を選択して実行した場合、印刷された二次元コードは、指定した各キャリアの携帯電話で認識可能となる。すなわち、キャリア「Ａ社」、キャリア「Ｂ社」およびキャリア「Ｃ社」から２以上のキャリアを指定可能な場合に、「Ａ社」および「Ｂ社」を指定して、単一コード化処理を実行すれば、ユーザは、印刷された単一の二次元コードを、「Ａ社」の携帯電話に認識させることができると共に、「Ｂ社」の携帯電話に認識させることもできる。一方、複数コード化処理を選択して実行した場合、指定した各キャリアの携帯電話で認識可能な二次元コードが並べて印刷される。印刷された二次元コードは、指定した各キャリアの携帯電話で認識可能となる。すなわち、上記３のキャリアから２以上のキャリアを指定可能な場合に、「Ａ社」および「Ｂ社」を指定して、複数コード化処理を実行すれば、ユーザは、「Ａ社」の携帯電話で認識可能な二次元コードと、「Ｂ社」の携帯電話で認識可能な二次元コードとを、個別に得ることができる。このように、単一コード化処理と複数コード化処理とを選択的に実行可能に構成したことで、利便性を向上させることができる。
【００１２】
本発明の他のテープ印刷装置は、携帯電話に登録する登録用データをコード化した二次元コードを、印刷テープに印刷するテープ印刷装置であって、登録用データを入力する入力手段と、携帯電話の複数のキャリアにそれぞれ対応する複数のフォーマット形式を記憶する記憶手段と、複数のフォーマット形式に従って、入力された登録用データを複数のフォーマットデータにそれぞれ変換するフォーマット化手段と、複数のフォーマットデータを、単一の二次元コードデータにコード化するコード化手段と、単一の二次元コードデータに基づいて、印刷画像データを作成する画像作成手段と、印刷画像データに基づいて、印刷テープに印刷を行う印刷手段と、を備えたことを特徴とする。
【００１３】
本発明の他のテープ印刷装置のテープ印刷方法は、携帯電話に登録する登録用データをコード化した二次元コードを、印刷テープに印刷するテープ印刷装置のテープ印刷方法であって、登録用データを入力する入力工程と、携帯電話の複数のキャリアにそれぞれ対応する複数のフォーマット形式に従って、入力された登録用データを複数のフォーマットデータにそれぞれ変換するフォーマット化工程と、複数のフォーマットデータを、単一の二次元コードデータにコード化するコード化工程と、単一の二次元コードデータに基づいて、印刷画像データを作成する画像作成工程と、印刷画像データに基づいて、印刷テープに印刷を行う印刷工程と、を備えたことを特徴とする。
【００１４】
この構成によれば、複数のフォーマット形式に従って、入力された登録用データが複数のフォーマットデータにそれぞれフォーマット化され、複数のフォーマットデータに基づいて、単一の二次元コードデータが作成される。このため、印刷された二次元コードは、各キャリアの携帯電話で認識可能である。すなわち、キャリア「Ａ社」およびキャリア「Ｂ社」のフォーマット形式を記憶する場合、ユーザは、印刷された単一の二次元コードを、「Ａ社」の携帯電話に認識させることができると共に、「Ｂ社」の携帯電話に認識させることもできる。
【００１５】
本発明の他のテープ印刷装置は、携帯電話に登録する登録用データをコード化した二次元コードを、印刷テープに印刷するテープ印刷装置であって、登録用データを入力する入力手段と、携帯電話の複数のキャリアにそれぞれ対応する複数のフォーマット形式を記憶する記憶手段と、複数のフォーマット形式に従って、入力された登録用データを複数のフォーマットデータにそれぞれ変換するフォーマット化手段と、複数のフォーマットデータを、複数の二次元コードデータにそれぞれコード化するコード化手段と、複数の二次元コードデータに基づいて、複数の二次元コードを併記して印刷するように印刷画像データを作成する画像作成手段と、印刷画像データに基づいて、印刷テープに印刷を行う印刷手段と、を備えたことを特徴とする。
【００１６】
本発明の他のテープ印刷装置のテープ印刷方法は、携帯電話に登録する登録用データをコード化した二次元コードを、印刷テープに印刷するテープ印刷装置のテープ印刷方法であって、登録用データを入力する入力工程と、携帯電話の複数のキャリアにそれぞれ対応する複数のフォーマット形式に従って、入力された登録用データを複数のフォーマットデータにそれぞれ変換するフォーマット化工程と、複数のフォーマットデータを、複数の二次元コードデータにそれぞれコード化するコード化工程と、複数の二次元コードデータに基づいて、複数の二次元コードを併記して印刷するように印刷画像データを作成する画像作成工程と、印刷画像データに基づいて、印刷テープに印刷を行う印刷工程と、を備えたことを特徴とする。
【００１７】
この構成によれば、複数のフォーマット形式に従って、入力された登録用データが複数のフォーマットデータにそれぞれフォーマット化され、複数のフォーマットデータに基づいて、複数の二次元コードデータがそれぞれ作成される。そして、各キャリアの携帯電話で認識可能な二次元コードが並べて印刷される。このため、キャリア「Ａ社」およびキャリア「Ｂ社」のフォーマット形式を記憶する場合、ユーザは、「Ａ社」の携帯電話で認識可能な二次元コードと、「Ｂ社」の携帯電話で認識可能な二次元コードとを、個別に得ることができる。
【００１８】
上述のテープ印刷装置において、画像作成手段は、二次元コードに関連する関連情報を指標する指標キャラクタが、当該二次元コードに併記されるように、印刷画像データを作成し、関連情報には、登録用データを変換するフォーマット形式に対応したキャリアの名称が含まれることが好ましい。
【００１９】
この構成によれば、二次元コードに併記される指標キャラクタは、二次元コードを認識可能な携帯電話のキャリアの名称を指標する。したがって、印刷テープを手にした者は、二次元コードがいずれのキャリアの携帯電話で認識可能であるか容易に把握することができ、便利である。
【００２０】
この場合、複数種の登録用データから、入力するデータ種類を選択するための選択手段を、さらに備え、関連情報には、選択されたデータ種類が含まれることが好ましい。
【００２１】
この構成によれば、二次元コードに併記される指標キャラクタは、携帯電話に登録する登録用データの種類（例えば、氏名、電話番号等から成る「電話帳データ」）を指標する。したがって、印刷テープを手にした者は、二次元コードにどのような登録用データがコード化されているのか容易に把握することができ、便利である。
【００２２】
これらの場合、印刷テープは、表面に印刷が行われる記録テープと、記録テープの裏面に貼着された剥離テープと、から構成されており、印刷テープのうち記録テープのみをテープ幅方向に切断するハーフカット手段を、さらに備え、印刷手段は、二次元コードに対してテープ長さ方向における前端部側および後端部側の少なくとも一方の領域に、指標キャラクタを印刷し、ハーフカット手段は、指標キャラクタが印刷された領域と二次元コードが印刷された領域との境界近傍をハーフカットして、当該指標キャラクタが印刷された領域を捨て代部として形成することが好ましい。
【００２３】
この構成によれば、被貼着物には貼着されずに捨て代となる前端領域および後端領域の少なくとも一方に、指標キャラクタを印刷し、前端領域および後端領域以外の部分（コード印刷領域）に、二次元コードを印刷する。このため、被貼着物に貼着されるコード印刷領域には、指標キャラクタを含ませることがないと共に、貼付前には、コード印刷領域を貼付しようとする者に対し、指標キャラクタを視認させ、二次元コードの関連情報を把握させることができる。しかも、指標キャラクタは、もともと捨て代となる前端領域および後端領域の少なくとも一方に印刷されるため、印刷テープを余分に消費することもない。
【発明を実施するための最良の形態】
【００２４】
以下、添付の図面を参照しながら、本発明に係るテーププリンタ（テープ印刷装置）の実施形態について説明する。このテーププリンタは、携帯電話に登録する登録用データをコード化したＱＲコードを、印刷テープに印刷し、印刷済み部分の後端を切断して、ラベル（テープ片）を作成するものである。
【００２５】
図１および図２に示すように、テーププリンタ１は、印刷テープＴに対して印刷処理を行う装置本体２と、印刷テープＴおよびインクリボンＲを収容し、装置本体２に着脱自在に装着されるテープカートリッジＣとを備えている。
【００２６】
装置本体２は、装置ケース１１により外殻が形成され、装置ケース１１の前半部上面には、各種キーを備えたキーボード１２が配設されている。装置ケース１１の後半部左上面には、開閉蓋１３が広く設けられ、開閉蓋１３の上面には、テープカートリッジＣの装着／非装着を視認するための覗き窓１４が形成されると共に、開閉蓋１３の前側にはこれを開放する蓋体開放ボタン１５が設けられている。装置ケース１１の後半部右上面には、キーボード１２からの入力結果等を表示する長方形のディスプレイ１６が形成されている。
【００２７】
蓋体開放ボタン１５を押して開閉蓋１３を開放すると、その内部には、テープカートリッジＣが装着されるカートリッジ装着部１７が窪入形成されている。カートリッジ装着部１７には、その隅部に、複数のマイクロスイッチ等で構成されたテープ識別センサ１８（図３参照）が配設されている。
【００２８】
さらに、カートリッジ装着部１７には、発熱素子を有するサーマルヘッド２１が設けられている。テープカートリッジＣを装着すると、サーマルヘッド２１が、印刷テープＴおよびインクリボンＲを挟んで、テープカートリッジＣに設けられたプラテンローラ２６に当接し、印刷待機状態となる。そして、送りモータ２２（図３参照）やギヤ列等で構成された動力伝達機構（図示省略）により印刷テープＴおよびインクリボンＲを送りながら、印刷テープＴに印刷処理（インクリボンＲから印刷テープＴへのインクの感熱転写）が行われる。
【００２９】
装置ケース１１の左側部には、カートリッジ装着部１７と装置外部とを連通するテープ排出口２３が形成され、このテープ排出口２３に臨んで装置ケース１１には、カッタモータ２５（図３参照）により駆動するカッタユニット２４が内蔵されており、これにより、印刷処理後の印刷テープＴが切断される。なお、カッタユニット２４は、図示しないが、後述する印刷テープＴの記録テープＴ１および剥離紙Ｔ２（剥離テープ）の双方を切断するフルカッタと、記録テープＴ１のみを切断するハーフカッタとを備えている。
【００３０】
装置ケース１１の右側部には、図示は省略するが、電源供給のための電源供給口と、図外のパソコン等の外部装置に接続するためのコネクタとが形成されている。このため、テーププリンタ１は、自身のキーボード１２からの入力データに基づいて作成された印刷画像データのほか、パソコン等によって作成された印刷画像データを取得して、これを印刷テープＴに印刷することも可能である。また、図示省略したが、装置ケース１１の内部には、テーププリンタ１を統括制御する制御部１０５（後述する）を構成する回路基板が搭載されている。
【００３１】
印刷テープＴは、裏面に粘着剤が塗着された記録テープＴ１と、この粘着剤により記録テープＴ１の裏面に貼着された剥離紙Ｔ２とから構成されており、記録テープＴ１の表面に印刷が行われる。そして、印刷済み部分の後端がフルカッタにより切断され、テープ片（ラベル）が得られる。
【００３２】
また、ハーフカッタにより、印刷テープＴの前端部近傍（例えば前端から０．５〜２ｃｍ）にハーフカットが行われ、ハーフカット線１４３よりも前端側に、前端領域１４２が形成される。文字列等の印刷処理は、通常、前端領域１４２以外の部分（後述するコード印刷領域１４１）になされ、ユーザは、このハーフカット部分を手掛かりとして剥離紙Ｔ２を容易に引き剥がし、前端領域１４２以外の部分を被貼着物に貼り付けることができる（図５参照）。つまり、前端領域１４２は捨て代となる。なお、印刷テープＴの後端部近傍にハーフカットを行って、捨て代となる後端領域を形成するようにしてもよく、前端領域１４２および後端領域の双方を形成するようにしてもよい。
【００３３】
カートリッジケース２７の裏面には、小さな複数の被検出孔（図示省略）が形成され、上記のテープ識別センサ１８によってこの複数の被検出孔が認識され、印刷テープＴの種別（例えば、テープ幅）を識別できるようになっている。
【００３４】
ディスプレイ１６は、ドットマトリクス型の液晶表示装置で構成され、長方形上の表示画面３１を備えており、この表示画面３１には入力されたキャラクタの画像が表示されるほか、その画像の編集時や印刷時における各種の操作モードや選択肢等が表示される。
【００３５】
キーボード１２は、テーププリンタ１に文字、記号、図形等のキャラクタを入力するための多数のキャラクタキーと、入力したキャラクタに対する編集や印刷等を指令するための各種の機能キーとを備えている。この機能キーには、ディスプレイ１６上のカーソルを移動させるカーソルキーや、複数の選択肢から所望のものを選択・確定するための選択キー、印刷処理を実行するための印刷キー等が含まれている。そして、キーボード１２は、これらの各種キーにより種々の指令およびデータを制御部１０５に入力する。
【００３６】
次に、図３を参照し、テーププリンタ１の制御系の構成について説明する。テーププリンタ１は、キーボード１２およびディスプレイ１６を有し、ユーザによる文字情報の入力や各種情報の表示等のユーザインタフェースを司る操作部１０１と、サーマルヘッド２１、送りモータ２２およびカッタモータ２５を有し、印刷処理を行う印刷処理部１０２と、テープ識別センサ１８等の各種センサを有し、各種検出を行う検出部１０３と、ディスプレイドライバ１０６、ヘッドドライバ１０７およびモータドライバ１０８を有し、各部を駆動する駆動部１０４と、各部と接続され、テーププリンタ１全体を制御する制御部１０５とにより構成されており、キーボード１２からの入力信号に基づき、制御部１０５が駆動部１０４を介してディスプレイ１６および印刷処理部１０２を制御している。
【００３７】
制御部１０５は、ＣＰＵ１１１、ＲＯＭ１１２、キャラクタジェネレータＲＯＭ（ＣＧ−ＲＯＭ）１１６、ＲＡＭ１１３、周辺制御回路（Ｐ−ＣＯＮ）１１４を備え、互いにバス１１５により接続されている。
【００３８】
ＲＯＭ１１２は、ＣＰＵ１１１で処理する制御プログラムを記憶する制御プログラム領域１２１のほか、各種の制御データを記憶した制御データ領域１２２を有している。また、ＣＧ−ＲＯＭ１１６は、テーププリンタ１に用意されている文字、記号、図形等のキャラクタのフォントデータを記憶しており、キャラクタを特定するコードデータが与えられたときに、対応するフォントデータを出力する。
【００３９】
ＲＡＭ１１３は、制御処理のための作業領域として使用され、各種フラグ・レジスタ群１２５や、ユーザがキーボード１２から入力したテキストデータを記憶するテキストデータ領域１２６、表示画面３１の表示画像データを記憶する表示画像データ領域１２７、印刷テープＴに印刷される印刷画像を作成するための領域である印刷バッファ１２８等を備えている。また、ＲＡＭ１１３は、テーププリンタ１の電源がオフにされても、記憶したデータを保持しておくように、図外のバックアップ回路によって電源の供給を受けるようになっている。
【００４０】
Ｐ−ＣＯＮ１１４には、ＣＰＵ１１１の機能を補うと共に周辺回路とのインタフェース信号を取り扱うための論理回路が、ゲートアレイやカスタムＬＳＩ等により構成されて組み込まれている。このＰ−ＣＯＮ１１４は、キーボード１２や各種センサと接続され、キーボード１２からの各種指令や入力データおよび各種検出信号等をそのまま或いは加工し、バス１１５を介してＣＰＵ１１１やＲＡＭ１１３に出力すると共に、ＣＰＵ１１１等からバス１１５を介して出力されたデータや制御信号を、そのまま或いは加工して駆動部１０４に出力している。
【００４１】
また、駆動部１０４において、ディスプレイドライバ１０６は、制御部１０５から出力される制御信号に従って、ディスプレイ１６の表示画面３１を制御する。同様に、ヘッドドライバ１０７は、制御部１０５の指示に従って、サーマルヘッド２１を駆動する。また、モータドライバ１０８は、制御部１０５の指示に従って、送りモータ２２を駆動して、印刷テープＴおよびインクリボンＲの送り動作を制御すると共に、カッタモータ２５を駆動して、切断動作を制御している。
【００４２】
このように構成された制御系において、制御部１０５のＣＰＵ１１１は、ＲＯＭ１１２内の制御プログラムに従って、Ｐ−ＣＯＮ１１４を介してキーボード１２等からの各種指令や各種データ等を入力し、ＣＧ−ＲＯＭ１１６からのフォントデータ、ＲＡＭ１１３内の各種データ等を処理し、Ｐ−ＣＯＮ１１４を介して駆動部１０４に制御信号を出力している。これにより、表示画面３１の表示制御や印刷画像の作成・編集を行うと共に、サーマルヘッド２１等を制御して、所定の印刷条件で印刷テープＴに印刷する等、テーププリンタ１全体を制御している。
【００４３】
ここで、図４ないし図６を参照して、本実施形態のテーププリンタ１により、二次元コードの１種であるＱＲコードを印刷する場合について説明する。まず、電源キーを押下して電源をオンにすると、テーププリンタ１は、キー入力可能な操作状態で起動する。そして、所定のキー操作により、バーコード印刷モードを呼び出すと、表示画面３１には、バーコード選択画面１３１が表示される。バーコード選択画面１３１は、これから作成するバーコードの種類を選択するための画面であり、「ＪＡＮ−８」、「ＱＲコード」、「ＵＰＣ−Ａ」等の複数のバーコード種類から、任意のバーコード種類を選択することができる（同図（ａ）参照）。
【００４４】
バーコード選択画面１３１において、「ＱＲコード」を選択（選択キーを押下）すると、表示画面３１には、データ種類選択画面１３２が表示される。データ種類選択画面１３２は、これから作成するＱＲコードにコード化するデータの種類を選択するための画面であり、メールアドレス、氏名、電話番号等から成る電話帳、ＵＲＬ等の複数のデータ種類から、任意のデータ種類を選択することができる（同図（ｂ）参照）。
【００４５】
データ種類選択画面１３２において、いずれかのデータ種類を選択すると、表示画面３１には、選択したデータ種類に対応したデータ入力画面１３３が表示される。データ入力画面１３３は、携帯電話に登録する登録用データを入力するための画面であり、先のデータ種類選択画面１３２で「電話帳」を選択した場合には、氏名、氏名の振り仮名および電話番号をそれぞれ入力するための入力欄が表示される（同図（ｃ）参照）。
【００４６】
キーボード１２から、各入力欄に登録用データを入力の上、所定のキー操作を行うと、キャリア指定画面１３４が表示される。キャリア指定画面１３４は、携帯電話の複数のキャリア（例えば、「Ａ社」、「Ｂ社」および「Ｃ社」の３社）から、ＱＲコードを認識させる携帯電話のキャリアとして、いずれか１社または複数社を、選択的に指定するための画面である（同図（ｄ）参照）。
【００４７】
キャリア「Ａ社」を指定すると、制御部１０５では、ＲＯＭ１１２に記憶された「Ａ社」のフォーマット形式に従って、入力された登録用データを変換する。この場合、フォーマットデータは、例えば、登録用データのデータ種類の認識コード「ＭＥＣＡＲＤ」と、氏名データ「Ｎ：高田誠」と、振り仮名データ「ＳＯＵＮＤ：タカダマコト」と、電話番号データ「ＴＥＬ：０９０１２３４５６７８」とから構成される。続いて、制御部１０５では、このフォーマットデータをＱＲコードデータにコード化する。
【００４８】
キャリア指定画面１３４における指定操作の後、表示画面３１には、併記選択画面１３５が表示される。併記選択画面１３５は、印刷テープＴに印刷するＱＲコードに、指定したキャリアの名称を指標する指標キャラクタ（キャリアキャラクタ）や、選択したデータ種類を指標する指標キャラクタ（データキャラクタ）を、併記するか否かを選択するための画面である。画面上で、「キャリア」を選択すると、キャリアキャラクタのみが併記され、「データ種類」を選択すると、データキャラクタのみが併記され、「両方併記」を選択すると、キャリアキャラクタおよびデータキャラクタが併記され、「併記なし」を選択すると、いずれの指標キャラクタも併記されない。ここでは、「両方併記」を選択したものとする（同図（ｅ）参照）。なお、詳細は後述するが、キャリア指定画面１３４において２以上のキャリアを指定した場合には、併記選択画面１３５が表示される前、コード化選択画面１３６が表示される（同図（ｆ）参照）。
【００４９】
そして、印刷キーを押下すると、制御部１０５では、ＱＲコード、並びに、これに併記する指標キャラクタの印刷画像データが作成される。すなわち、ＱＲコードデータに基づいて、ＱＲコードの印刷画像データを作成すると共に、キャリアキャラクタ（例えば文字列「Ａ社」、「Ａ社」のロゴマーク等）およびデータキャラクタ（例えば文字列「電話帳」、電話帳を意味する絵文字等）に対応するデータをＣＧ−ＲＯＭ１１２等から読み出し、その印刷画像データを作成する。
【００５０】
ここで、印刷バッファ１２８は、印刷テープＴの印刷可能領域に対応した領域を有しており、上記の前端領域１４２に指標キャラクタが印刷され、前端領域以外の部分（コード印刷領域１４１）にＱＲコードが印刷されるように、それらの印刷画像データを格納する。なお、指標キャラクタについては、前端領域１４２に収まるように、フォントサイズを調整したり、あるいは、フォントサイズを一定とし、前端領域１４２の長さ、すなわちハーフカット位置を調整したりすることが好ましい。
【００５１】
このようにして作成された印刷画像データに基づいて、印刷テープＴに対し、コード印刷領域１４１にＱＲコードが印刷されると共に、これに併記するように、前端領域１４２にキャリアキャラクタ「Ａ社」およびデータキャラクタ「電話帳」が印刷される（図５（ａ）参照）。なお、ハーフカッタにより、前端領域１４２に代えて後端領域を形成する場合には、後端領域にキャリアキャラクタおよびデータキャラクタを印刷するようにし、前端領域１４２および後端領域の双方を形成する場合には、そのいずれか一方の領域に両指標キャラクタを印刷するか、両領域に両指標キャラクタをそれぞれ印刷したりするようにする。
【００５２】
このようにして印刷されたＱＲコードは、指定されたキャリア「Ａ社」のフォーマット形式に従って、入力された登録用データがフォーマット化され、そのフォーマットデータに基づいて、印刷されたものである。このため、「Ａ社」の携帯電話で認識可能である。
【００５３】
また、指定されたキャリアの名称「Ａ社」、すなわちＱＲコードにコード化された登録用データを変換するフォーマット形式のキャリアの名称を指標するキャリアキャラクタ（文字列「Ａ社」）と、携帯電話に登録する登録用データのデータ種類「電話帳」を指標するデータキャラクタ（文字列「電話帳」）とが、ＱＲコードに併記される。このため、印刷テープＴを手にした者は、ＱＲコードがいずれのキャリアの携帯電話で認識可能であるか容易に把握することができると共に、ＱＲコードにどのような登録用データがコード化されているのか容易に把握することができ、便利である。しかも、本実施形態では、必要に応じて、ＱＲコードにキャリアキャラクタやデータキャラクタを併記させるか否かを選択できるため、使い勝手が良い。
【００５４】
さらに、被貼着物には貼着されずに捨て代となる前端領域１４２に指標キャラクタを印刷し、コード印刷領域１４１にＱＲコードを印刷する。このため、被貼着物に貼着されるコード印刷領域１４１には、指標キャラクタを含ませることがないと共に、貼付前には、コード印刷領域１４１を貼付しようとする者に対し、指標キャラクタを視認させ、ＱＲコードの関連情報を把握させることができる。すなわち、貼付箇所の傍にＱＲコードの関連情報が既に記載されており、貼付後には併記した指標キャラクタが不要となるが、貼り間違えを防ぐべく、貼付前には併記した指標キャラクタが有用である場合等に、便利である。しかも、指標キャラクタは、もともと捨て代となる前端領域１４２に印刷されるため、印刷テープＴを余分に消費することもない。また、後述するように、指標キャラクタを、ＱＲコードに対し、テープ幅方向の余白（上下の余白）に併記させるようにしてもよい（図６参照）。
【００５５】
また、キャリア指定画面１３４において「Ｂ社」を指定すると、制御部１０５では、ＲＯＭ１１２に記憶された「Ｂ社」のフォーマット形式に従って、入力された登録用データを変換する。この場合、フォーマットデータは、例えば、登録用データのデータ種類の認識コード「ＭＥＭＯＲＹ」と、氏名データ「ＮＡＭＥ１：高田誠」と、振り仮名データ「ＮＡＭＥ２：タカダマコト」と、電話番号データ「ＴＥＬ１：０９０１２３４５６７８」とから構成される。続いて、制御部１０５では、このフォーマットデータをＱＲコードデータにコード化する。
【００５６】
以下、上記と同様にして印刷処理を実行すると、印刷テープＴに対し、コード印刷領域１４１にＱＲコードが印刷されると共に、これに併記するように、前端領域１４２にキャリアキャラクタ「Ｂ社」およびデータキャラクタ「電話帳」が印刷される（図５（ｂ）参照）。
【００５７】
このようにして印刷されたＱＲコードは、指定されたキャリア「Ｂ社」のフォーマット形式に従って、入力された登録用データがフォーマット化され、そのフォーマットデータに基づいて、印刷されたものである。このため、「Ｂ社」の携帯電話で認識可能である。
【００５８】
また、キャリア指定画面１３４において「Ｃ社」を指定すると、制御部１０５では、ＲＯＭ１１２に記憶された「Ｃ社」のフォーマット形式に従って、入力された登録用データを変換する。この場合、フォーマットデータは、例えば、登録用データのデータ種類の認識コード「ＫＩＯＫＵ」と、氏名データ「ＮＡＭＡＥ：高田誠」と、振り仮名データ「ＫＡＮＡ：タカダマコト」と、電話番号データ「ＤＥＮＷＡ：０９０１２３４５６７８」とから構成される。続いて、制御部１０５では、このフォーマットデータをＱＲコードデータにコード化する。
【００５９】
以下、上記と同様にして印刷処理を実行すると、印刷テープＴに対し、コード印刷領域１４１にＱＲコードが印刷されると共に、これに併記するように、前端領域１４２にキャリアキャラクタ「Ｃ社」およびデータキャラクタ「電話帳」が印刷される（図５（ｃ）参照）。
【００６０】
このようにして印刷されたＱＲコードは、指定されたキャリア「Ｃ社」のフォーマット形式に従って、入力された登録用データがフォーマット化され、そのフォーマットデータに基づいて、印刷されたものである。このため、「Ｃ社」の携帯電話で認識可能である。
【００６１】
また、キャリア指定画面１３４において「Ａ社＋Ｂ社」を指定すると、ＲＯＭ１１２に記憶された「Ａ社」のフォーマット形式に従って、入力された登録用データをフォーマットデータに変換すると共に、「Ｂ社」のフォーマット形式に従って、入力された登録用データをフォーマットデータに変換する。
【００６２】
この場合、２以上のキャリアを指定しているため、表示画面３１には、コード化選択画面１３６が表示される。コード化選択画面１３６は、２以上のフォーマットデータを、単一のＱＲコードデータにコード化する単一コード化処理と、２以上のＱＲコードデータにそれぞれコード化する複数コード化処理と、を選択するための画面である（同図（ｆ）参照）。
【００６３】
画面上で、「単一コード化処理」を選択すると、「Ａ社」のフォーマットデータと、「Ｂ社」のフォーマットデータとを、単一のＱＲコードデータにコード化する。以下、上記と同様にして印刷処理を実行すると、印刷テープＴに対し、コード印刷領域１４１に単一のＱＲコードが印刷されると共に、これに併記するように、前端領域１４２にキャリアキャラクタ「Ａ社」、「Ｂ社」およびデータキャラクタ「電話帳」が印刷される（図６（ａ）参照）。
【００６４】
ここで、印刷された単一のＱＲコードは、指定されたキャリア「Ａ社」のフォーマット形式およびキャリア「Ｂ社」のフォーマット形式に従って、入力された登録用データが２つのフォーマットデータにそれぞれフォーマット化され、その２つのフォーマットデータに基づいて、単一のＱＲコードデータが作成され、印刷されたものである。このため、印刷された単一のＱＲコードを、「Ａ社」の携帯電話に認識させることができると共に、「Ｂ社」の携帯電話に認識させることもできる。
【００６５】
一方、画面上で、「複数コード化処理」を選択すると、「Ａ社」のフォーマットデータと、「Ｂ社」のフォーマットデータとを、複数のＱＲコードデータにそれぞれコード化する。以下、上記と同様にして印刷処理を実行すると、「Ａ社」の携帯電話で認識可能なＱＲコードと、「Ｂ社」の携帯電話で認識可能なＱＲコードとが、例えばテープ長さ方向に並べて印刷される共に、これに併記するように、テープ幅方向の余白（例えば下余白）に、キャリアキャラクタ「Ａ社」、「Ｂ社」およびデータキャラクタ「電話帳」が印刷される。なお、各ＱＲコードを個別に貼付可能とすべく、隣接するＱＲコード間でハーフカット（ハーフカット線１４３の形成）やフルカットを行うことが好ましい。（図６（ｂ）参照）。
【００６６】
これにより、ユーザは、「Ａ社」の携帯電話で認識可能なＱＲコードと、「Ｂ社」の携帯電話で認識可能なＱＲコードとを、個別に得ることができる。このように、単一コード化処理と複数コード化処理とを選択的に実行可能に構成したことで、利便性を向上させることができる。
【００６７】
以上のように、本実施形態のテーププリンタ１によれば、複数のキャリアから１のキャリアを指定することで、複数のキャリアのうちの任意のキャリアに対応したＱＲコードを印刷することができることに加えて、複数のキャリアを指定することで、複数のキャリアに共通した、あるいは個別のＱＲコードを印刷することができる。
【００６８】
なお、キャリア指定画面１３４において、「Ａ社」、「Ｂ社」および「Ｃ社」のいずれか１のキャリアのみを指定可能な構成としてもよい。また、キャリア指定画面１３４（キャリア指定手段）を省き、常に、３社に共通した単一のＱＲコードを印刷するようにしてもよい。もっとも、本実施形態では、３社のキャリアから、いずれか１社、いずれか２社、あるいは３社のキャリアを、選択的に指定できるため、便利である。すなわち、ユーザは、印刷されるＱＲコードを「Ａ社」の携帯電話のみに認識させたいときは、３社のキャリアから「Ａ社」を指定することで、ＱＲコードデータのデータ量を必要最低限とすることができ、ＱＲコードの印刷面積を小さくすることができると共に、印刷されるＱＲコードを「Ａ社」の携帯電話および「Ｂ社」の携帯電話のいずれにも認識させたいときには、２社のキャリアを指定することで、２社共通のＱＲコードを印刷することができる。
【００６９】
本実施形態では、二次元コードとして、ＱＲコードを例に説明したが、ＰＤＦ４１７、DataMatrix、Maxi Code、その他の二次元コードにも本発明を適用可能である。
【図面の簡単な説明】
【００７０】
【図１】本発明の一実施形態に係るテーププリンタの閉蓋状態の外観斜視図である。
【図２】テーププリンタの開蓋状態の外観斜視図である。
【図３】テーププリンタの制御系のブロック図である。
【図４】（ａ）〜（ｆ）は、携帯電話に登録する登録用データをコード化したＱＲコードを印刷テープに印刷する場合において、表示画面上の操作手順を示す図である。
【図５】（ａ）は、３社のキャリアのうち「Ａ社」を指定してＱＲコードを印刷した印刷テープを示す図、（ｂ）は、「Ｂ社」を指定してＱＲコードを印刷した印刷テープを示す図、（ｃ）は、「Ｃ社」を指定してＱＲコードを印刷した印刷テープを示す図である。
【図６】（ａ）は、３社のキャリアのうち「Ａ社＋Ｂ社」を指定して単一のＱＲコードを印刷した印刷テープを示す図、（ｂ）は、「Ａ社＋Ｂ社」を指定し、それぞれ対応する２つのＱＲコードを並べて印刷した印刷テープを示す図である。
【符号の説明】
【００７１】
１…テーププリンタ  ２４…カッタユニット  １０１…操作部  １０２…印刷処理部  １０５…制御部  １１２…ＲＯＭ  １４２…前端領域  Ｔ…印刷テープ  Ｔ１…記録テープ  Ｔ２…剥離紙
【図１】
2007118506.tif 000003
【図２】
2007118506.tif 000004
【図３】
2007118506.tif 000005
【図４】
2007118506.tif 000006
【図５】
2007118506.tif 000007
【図６】
2007118506.tif 000008